(57)【要約】【課題】基板ダイレクト接続に用いられるコネクタにおいて、端子の接点部の保護が可能なコネクタを提供すること。【解決手段】コネクタ（１１０）は、端子（１４０）と、端子が収容されたハウジング（１２０，１３０）と、を備える。ハウジングは、端子を保持する第１ハウジング部材（１２０）と、第１ハウジング部材に前後方向移動可能に組み付けられた第２ハウジング部材（１３０）と、を含む。端子（１４０）は、第１ハウジング部材（１２０）と第２ハウジング部材（１３０）との相対移動に伴い、ハウジングから端子（１４０）が突出した第１状態と、ハウジングから端子（１４０）が突出しない第２状態と、を切り替え可能である。【選択図】図４
2017103160.tif 000002
【特許請求の範囲】
【請求項１】
端子と、前記端子が収容されたハウジングと、を備えたコネクタであって、
前記ハウジングは、
前記端子を保持する第１ハウジング部材と、前記第１ハウジング部材に前後方向移動可能に組み付けられた第２ハウジング部材と、を含み、
前記端子は、
前記第１ハウジング部材と前記第２ハウジング部材との相対移動に伴い、前記ハウジングから前記端子が突出した第１状態と、前記ハウジングから前記端子が突出しない第２状態と、を切り替え可能である、
コネクタ。
【請求項２】
請求項１に記載のコネクタにおいて、
前記第１ハウジング部材がハウジング本体であると共に、前記第２ハウジング部材がフロントホルダであり、
前記ハウジング本体及び前記フロントホルダが、前記フロントホルダを前記ハウジング本体に対して前側位置に保持するための第１係止構造と、前記フロントホルダを前記ハウジング本体に対して後側位置に保持するための第２係止構造と、を有し、
前記端子が、
該コネクタの接続相手の回路基板上の電極に突き当て接触する接点部を前端に有し、前記接点部を前記ハウジング本体の前端から突出させた状態で、前記ハウジング本体に保持されており、
前記フロントホルダが前記ハウジング本体に対して前側位置に保持されているとき、前記接点部が前記フロントホルダの内方に収容され、前記フロントホルダが前記ハウジング本体に対して後側位置に保持されているとき、前記接点部が前記フロントホルダから前方に突出する、
コネクタ。
【請求項３】
請求項２に記載のコネクタにおいて、
前記端子が、
前記ハウジング本体が前記後側位置に保持されているとき、弾性変形することによって前記フロントホルダを前方に付勢する押出バネ片を有する、
コネクタ。
【請求項４】
請求項１に記載のコネクタにおいて、
前記第１ハウジング部材がアウタハウジングであると共に、前記第２ハウジング部材がインナハウジングであり、
前記端子が、
前記アウタハウジングに保持される端子本体と、前記端子本体に対して前後方向にスライド自在に組み合わせられる筒状の箱部と、を有し、
前記端子本体が、
該コネクタの接続相手の回路基板上の電極に突き当て接触する接点部を前端に有した弾性バネ片を備え、
前記箱部が、
前記弾性バネ片の弾性を利用して前記弾性バネ片を包囲するように前記端子本体に装着されると共に、前記インナハウジングの開口部の内周に嵌合固定され、
前記インナハウジングが前記アウタハウジングに対して前側位置にあるとき、前記端子の接点部が前記箱部の内部に収容され、前記インナハウジングが前記アウタハウジングに対して後側位置にあるとき、前記端子の接点部が前記箱部の前方に突出する、
コネクタ。
【請求項５】
請求項１に記載のコネクタにおいて、
前記第１ハウジング部材がアウタハウジングであると共に、前記第２ハウジング部材がインナハウジングであり、
前記端子が、
筒状の箱部を前部に有すると共に、前記箱部を前記インナハウジングの端子収容室の内周に嵌合固定することによって前記インナハウジングに保持される端子本体と、
前記端子本体と別体とされ、該コネクタの接続相手の回路基板上の電極に突き当て接触する接点部を前端に有し、前記箱部の内部に自らの弾性を利用して装着されることによって前記箱部に対して前後方向に移動可能に設けられた弾性バネ片と、を有し、
前記インナハウジングが前記アウタハウジングに対して前側位置にあるとき、前記端子の接点部が前記箱部の内部に収容され、前記インナハウジングが前記アウタハウジングに対して後側位置にあるとき、前記端子の接点部が前記箱部の前方に突出する、
コネクタ。
【請求項６】
請求項１に記載のコネクタにおいて、
前記第１ハウジング部材がハウジング本体であると共に、前記第２ハウジング部材が前記ハウジング本体の後端内部に後方から挿入されるスペーサであり、
前記端子が、
筒状の箱部を前部に有すると共に、前記箱部を前記ハウジング本体の端子収容室の内周に嵌合固定することによって前記ハウジング本体に保持される端子本体と、
前記端子本体と別体とされ、該コネクタの接続相手の回路基板上の電極に突き当て接触する接点部を前端に有し、且つ、前記箱部の内部に自らの弾性を利用して装着されることによって前記箱部に対して前後方向に移動可能に設けられた弾性バネ片と、を有し、
前記スペーサは、
前記端子を前記ハウジング本体の端子収容室に嵌合固定した状態にて前記ハウジング本体の端子収容室に後方から挿入されることにより、前記弾性バネ片を前方に押して前記箱部の内部に収容されていた前記接点部を前記箱部の前方に突出させると共に、前記端子の後退を阻止する、
コネクタ。
【発明の詳細な説明】
【技術分野】
【０００１】
本発明は、回路基板上の電極にコネクタの端子を直接接続する手法（基板ダイレクト接続）に用いられるコネクタに関する。
【背景技術】
【０００２】
従来から、回路基板上に設けられた電極（導体パターンの一部および導体パターンに接合された金属板など）に、コネクタの端子の接点部を直接接触させ、回路基板とコネクタとを接続する手法（基板ダイレクト接続）が提案されている。
【０００３】
例えば、特許文献１に記載のコネクタは、端子と、端子を保持するハウジングと、を備えており、端子の接点部がハウジングの端面から突出するように端子をハウジングに保持させるようになっている。
【先行技術文献】
【特許文献】
【０００４】
【特許文献１】特開２０１２−２０４３１２号公報
【発明の概要】
【発明が解決しようとする課題】
【０００５】
特許文献１に記載の従来技術では、端子の接点部が常にハウジングの端面から突出している。そのため、コネクタを相手側コネクタに嵌合させる前（例えば、ワイヤハーネスの製造時）等において、接点部の傷および変形などの損傷、及び、接点部への異物の付着などが生じる可能性がある。相手側電極とコネクタの端子の接点部との間の良好な電気的接続の観点から、端子の接点部に損傷および異物の付着などが生じないように保護することが望ましい。
【０００６】
本発明は、上述した事情に鑑みてなされたものであり、その目的は、基板ダイレクト接続に用いられるコネクタにおいて、端子の接点部の保護が可能なコネクタを提供することにある。
【課題を解決するための手段】
【０００７】
前述した目的を達成するために、本発明に係るコネクタは下記（１）〜（６）を特徴としている。
（１）
端子と、前記端子が収容されたハウジングと、を備えたコネクタであって、
前記ハウジングは、
前記端子を保持する第１ハウジング部材と、前記第１ハウジング部材に前後方向移動可能に組み付けられた第２ハウジング部材と、を含み、
前記端子は、
前記第１ハウジング部材と前記第２ハウジング部材との相対移動に伴い、前記ハウジングから前記端子が突出した第１状態と、前記ハウジングから前記端子が突出しない第２状態と、を切り替え可能である、
コネクタ。
（２）
上記（１）に記載のコネクタにおいて、
前記第１ハウジング部材がハウジング本体であると共に、前記第２ハウジング部材がフロントホルダであり、
前記ハウジング本体及び前記フロントホルダが、前記フロントホルダを前記ハウジング本体に対して前側位置に保持するための第１係止構造と、前記フロントホルダを前記ハウジング本体に対して後側位置に保持するための第２係止構造と、を有し、
前記端子が、
該コネクタの接続相手の回路基板上の電極に突き当て接触する接点部を前端に有し、前記接点部を前記ハウジング本体の前端から突出させた状態で、前記ハウジング本体に保持されており、
前記フロントホルダが前記ハウジング本体に対して前側位置に保持されているとき、前記接点部が前記フロントホルダの内方に収容され、前記フロントホルダが前記ハウジング本体に対して後側位置に保持されているとき、前記接点部が前記フロントホルダから前方に突出する、
コネクタ。
（３）
上記（２）に記載のコネクタにおいて、
前記端子が、
前記ハウジング本体が前記後側位置に保持されているとき、弾性変形することによって前記フロントホルダを前方に付勢する押出バネ片を有する、
コネクタ。
（４）
上記（１）に記載のコネクタにおいて、
前記第１ハウジング部材がアウタハウジングであると共に、前記第２ハウジング部材がインナハウジングであり、
前記端子が、
前記アウタハウジングに保持される端子本体と、前記端子本体に対して前後方向にスライド自在に組み合わせられる筒状の箱部と、を有し、
前記端子本体が、
該コネクタの接続相手の回路基板上の電極に突き当て接触する接点部を前端に有した弾性バネ片を備え、
前記箱部が、
前記弾性バネ片の弾性を利用して前記弾性バネ片を包囲するように前記端子本体に装着されると共に、前記インナハウジングの開口部の内周に嵌合固定され、
前記インナハウジングが前記アウタハウジングに対して前側位置にあるとき、前記端子の接点部が前記箱部の内部に収容され、前記インナハウジングが前記アウタハウジングに対して後側位置にあるとき、前記端子の接点部が前記箱部の前方に突出する、
コネクタ。
（５）
上記（１）に記載のコネクタにおいて、
前記第１ハウジング部材がアウタハウジングであると共に、前記第２ハウジング部材がインナハウジングであり、
前記端子が、
筒状の箱部を前部に有すると共に、前記箱部を前記インナハウジングの端子収容室の内周に嵌合固定することによって前記インナハウジングに保持される端子本体と、
前記端子本体と別体とされ、該コネクタの接続相手の回路基板上の電極に突き当て接触する接点部を前端に有し、前記箱部の内部に自らの弾性を利用して装着されることによって前記箱部に対して前後方向に移動可能に設けられた弾性バネ片と、を有し、
前記インナハウジングが前記アウタハウジングに対して前側位置にあるとき、前記端子の接点部が前記箱部の内部に収容され、前記インナハウジングが前記アウタハウジングに対して後側位置にあるとき、前記端子の接点部が前記箱部の前方に突出する、
コネクタ。
（６）
上記（１）に記載のコネクタにおいて、
前記第１ハウジング部材がハウジング本体であると共に、前記第２ハウジング部材が前記ハウジング本体の後端内部に後方から挿入されるスペーサであり、
前記端子が、
筒状の箱部を前部に有すると共に、前記箱部を前記ハウジング本体の端子収容室の内周に嵌合固定することによって前記ハウジング本体に保持される端子本体と、
前記端子本体と別体とされ、該コネクタの接続相手の回路基板上の電極に突き当て接触する接点部を前端に有し、且つ、前記箱部の内部に自らの弾性を利用して装着されることによって前記箱部に対して前後方向に移動可能に設けられた弾性バネ片と、を有し、
前記スペーサは、
前記端子を前記ハウジング本体の端子収容室に嵌合固定した状態にて前記ハウジング本体の端子収容室に後方から挿入されることにより、前記弾性バネ片を前方に押して前記箱部の内部に収容されていた前記接点部を前記箱部の前方に突出させると共に、前記端子の後退を阻止する、
コネクタであること。
【０００８】
上記（１）の構成のコネクタによれば、第１ハウジングと第２ハウジングとの相対移動により、端子がハウジングから突出した状態（第１状態）と、端子がハウジングから突出しない状態（第２状態）と、を切り替えられる。そのため、コネクタを相手側コネクタに嵌合させる前には端子を第１状態とし、コネクタを相手側コネクタに嵌合させたときに端子を第２状態とすれば、端子の接点部に損傷および異物の付着などを防止できる。よって、本構成のコネクタは、端子の接点部の保護が可能である。
【０００９】
上記（２）の構成のコネクタによれば、コネクタが相手側コネクタに嵌合する前、フロントホルダが前側位置に保持されている状態のとき、端子の接点部がフロントホルダの内部に収容されるため、接点部が保護される。一方、コネクタが相手側コネクタに嵌合したとき、フロントホルダが後側位置に移動すると、端子の接点部がフロントホルダから露出するため、回路基板の電極に接点部を接触させられる。
【００１０】
上記（３）の構成のコネクタによれば、コネクタが相手側コネクタから離れたとき、フロントホルダを後側位置に移動させる力が解除されるため、押出バネの付勢力によってフロントホルダを前側位置に戻すことができる。よって、コネクタが相手側コネクタから離れたとき、端子の接点部を確実に保護できる。
【００１１】
上記（４）の構成のコネクタによれば、コネクタが相手側コネクタに嵌合する前、インナハウジングが前側位置にあるとき、端子の接点部がインナハウジングの内部に収容されるため、接点部を保護できる。一方、コネクタが相手側コネクタに嵌合したとき、インナハウジングが後側位置に移動すると、弾性バネ片がインナハウジング（及び箱部）に対して前側に押し出される。よって、弾性バネ片の前端の接点部がインナハウジングから露出するため、回路基板の電極に接点部を接触させられる。
【００１２】
上記（５）の構成のコネクタによれば、コネクタが相手側コネクタに嵌合する前、インナハウジングが前側位置にあるとき、端子の接点部がインナハウジング（及び箱部）の内部に収容されるため、接点部を保護できる。一方、コネクタが相手側コネクタに嵌合したとき、インナハウジングがハウジングに対して後側位置に移動すると、弾性バネ片がインナハウジング（及び箱部）に対して前側に押し出される。よって、弾性バネ片の前端の接点部がインナハウジングから露出するため、回路基板の電極に接点部を接触させられる。
【００１３】
上記（６）の構成のコネクタによれば、コネクタが相手側コネクタに嵌合する前、端子の接点部がハウジング本体（及び箱部）の内部に収容されるため、接点部を保護できる。一方、コネクタが相手側コネクタに嵌合するとき、ハウジング本体の内部にスペーサを後方から挿入すると、弾性バネ片を前側に押し出すことができる。これにより、弾性バネ片の前端の接点部を箱部から露出させ、回路基板の電極に接点部を接触させることができる。
【発明の効果】
【００１４】
本発明によれば、コネクタを相手側コネクタに嵌合する前、端子の接点部を保護できるため、接点部の損傷および接点部への異物の付着などを防止できる。よって、相手側電極とコネクタの端子の接点部との間の良好な電気的接続を図ることができる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、本発明の第１実施形態のコネクタの説明図であり、図１（ａ）は前記コネクタが適用されたコネクタ装置を示す分解斜視図であり、図１（ｂ）は前記コネクタのコネクタハウジングの左右側面に設けられた係止突起の詳細図である。
【図２】図２は、第１実施形態のコネクタの端子を示す外観斜視図である。
【図３】図３は、第１実施形態のコネクタのコネクタハウジングとフロントホルダの組み合わせ図であり、図３（ａ）は垂直断面図であり、図３（ｂ）は水平断面図である。
【図４】図４は、第１実施形態のコネクタの断面図であり、図４（ａ）はコネクタ嵌合前の端子に前方への押圧力がかかっていないときの状態を示す垂直断面図、図４（ｂ）は同水平断面図、図４（ｃ）はコネクタ嵌合時に端子に前方への押圧力がかかっているときの状態を示す垂直断面図、図４（ｄ）は同水平断面図である。
【図５】図５は、第１実施形態のコネクタを基板側ユニットに嵌合しているときの状態を示す図であり、図５（ａ）は端子に前方への押圧力がかかっているときの状態を示す垂直断面図、図５（ｂ）は同水平断面図である。
【図６】図６は、第１実施形態のコネクタに使用する端子の変形例（ａ），（ｂ）を示す要部構成図である。
【図７】図７は、本発明の第２実施形態のコネクタが適用されたコネクタ装置の分解斜視図である。
【図８】図８は、第２実施形態のコネクタの端子を示す外観斜視図である。
【図９】図９は、図８に示した端子の代表的な３つの状態（ａ），（ｂ），（ｃ）を示す側面図である。
【図１０】図１０は、第２実施形態のコネクタの説明図であり、図１０（ａ）はコネクタ嵌合前の端子に前方への押圧力がかかっていないときの状態を示す垂直断面図であり、図１０（ｂ）は接続相手の基板側ユニットにコネクタを嵌合して端子に前方への押圧力がかかっているときの状態を示す垂直断面図である。
【図１１】図１１は、第２実施形態のコネクタの変形例において、端子に前方への押圧力がかかっていないときの状態を示す図であり、図１１（ａ）は前方からコネクタを見た外観斜視図であり、図１１（ｂ）はコネクタを基板側ユニットに嵌合し始めた段階にて端子に前方への押圧力がかかっていないときの状態を示す垂直断面図である。
【図１２】図１２は、図１１に示したコネクタにおいて、端子に前方への押圧力がかかっているときの状態を示す図であり、図１２（ａ）は前方からコネクタを見た外観斜視図であり、図１２（ｂ）はコネクタを基板側ユニットに完全嵌合した状態にて端子に前方への押圧力がかかっているときの状態を示す垂直断面図である。
【図１３】図１３は、本発明の第２実施形態のコネクタの分解斜視図である。
【図１４】図１４は、第３実施形態のコネクタを基板側ユニットへ嵌合する前の状態を示す側断面図である。
【図１５】図１５は、第３実施形態のコネクタを基板側ユニットへ嵌合している途中の状態を示す側断面図である。
【図１６】図１６は、第３実施形態のコネクタを基板側ユニットへ完全に嵌合した状態を示す側断面図である。
【図１７】図１７は、本発明の第４実施形態のコネクタを基板側ユニットへ嵌合し、リアスペーサを押し込む前の状態を示す側断面図である。
【図１８】図１８は、第４実施形態のコネクタを基板側ユニットへ嵌合し、リアスペーサを押し込んで端子を基板側電極に押圧接触させた状態を示す側断面図である。
【図１９】図１９は、基板側ユニットとコネクタの関係の概略を示す外観斜視図である。
【発明を実施するための形態】
【００１７】
以下、図面を参照しながら、本発明に係るコネクタの実施の形態（第１実施形態〜第４実施形態）について説明する。
【００１８】
＜第１実施形態＞
【００１９】
図１（ａ）に示すように、コネクタ装置１００は、第１実施形態に係るコネクタ（以下「コネクタ１１０」いう。）と、基板側ユニット１８０（基板側コネクタに相当）と、を備えている。
【００２０】
コネクタ１１０は、樹脂成形品よりなるコネクタハウジング１２０と、コネクタハウジング１２０の前部に前後方向移動自在に組み付けられるフロントホルダ１３０と、コネクタハウジング１２０に保持される金属製の端子１４０と、からなる。
【００２１】
なお、本実施形態の説明においては、基板側ユニット１８０からコネクタ１１０を見る方向（図１の右側）を前方とし、その反対方向（図１の左側）を後方とする。更に、コネクタ１１０の嵌合方向に垂直な方向のうち、互いに直交する方向を上下方向と左右方向とする。各方向は、必要に応じて各図に矢印で示してある。第２〜第４実施形態においても同様である。
【００２２】
コネクタ１１０の接続対象である基板側ユニット１８０は、樹脂製のユニットケース１８１を備えている。ユニットケース１８１には、基板保持部１８３が設けられており、基板保持部１８３に回路基板１８５が収容保持されている。基板保持部１８３の前面には、筒状の嵌合フード部１８２が突設されている。嵌合フード部１８２の内側の空間は、コネクタ１１０を受け入れる空間であるコネクタ嵌合口１８２ａ（図５参照）となっている。
【００２３】
回路基板１８５は、コネクタ１１０の嵌合方向（前後方向）に垂直な姿勢で配置されており、回路基板１８５の前面（コネクタ１１０が嵌合されて来る方向に向かった表面）に、コネクタ１１０の各端子１４０が接続される電極１８６が、端子１４０の位置に対応して配置されている。
【００２４】
電極１８６は、回路基板１８５に形成された導体パターン（基板パターン）の一部によって構成されており、必要に応じて、端子接触面（コネクタ１１０の端子１４０が接触する表面）には、例えば、錫（Ｓｎ）メッキ層が形成されている。
【００２５】
コネクタハウジング１２０には端子収容室１２１が設けられており、各端子収容室１２１にそれぞれ端子１４０が挿入されている。端子１４０は、回路基板１８５上の平面状の電極１８６に直接接触して導通をとる基板ダイレクト接続端子である。端子１４０は、電線加締部１４３により電線Ｗの先端に取り付けられた状態で、コネクタハウジング１２０の端子収容室１２１に挿入されている。
【００２６】
図２に示すように、端子１４０は、コネクタ嵌合方向（前後方向）に長く、前部に、筒状の箱部１４１を有し、その箱部１４１の後側に、電線加締部１４３を有している。箱部１４１は、上壁１４１ａと、下壁（底壁）１４１ｂと、左右側壁１４１ｃ、１４１ｄとを有し、内部に中空部１４６を有するように、一枚の金属板を四角筒状に折り曲げ成形した部分である。
【００２７】
端子１４０は、箱部１４１の内部に、箱部１４１から中空部１４６に向けて延出する弾性変形可能な帯状の弾性バネ片１４２を備えている。弾性バネ片１４２は、Ｕ字状に湾曲した湾曲部の前端に、回路基板１８５上の電極１８６に突き当て接触する接点部１４２ａを有し、その接点部１４２ａを、箱部１４１の前端から前方に突出させた状態で、箱部１４１の内部に保持されている。
【００２８】
箱部１４１の上壁１４１ａの上には、箱部１４１の後端から斜め前上方に延びる片持の板バネよりなる押出バネ片１４５が設けられている。この押出バネ片１４５は、箱部１４１に結合された後端を支点にして、前端１４５ａ側が上下方向に弾性変形可能とされている。
【００２９】
このような構成の端子１４０は、一枚の金属板をプレス成形することにより形成されており、一体構造のものとして製作されている。但し、弾性バネ片１４２や押出バネ片１４５を、箱部１４１と別体に製作して、箱部１４１に溶接等により固定してもよい。
【００３０】
コネクタハウジング１２０は、図１（ａ）及び図３（ａ），（ｂ）に示すように、上壁面１２２と側壁面１２３とを有する、コネクタ嵌合方向に見た断面形状が四角形状のものである。コネクタハウジング１２０には、端子収容室１２１が前後方向に貫通して設けられており、各端子収容室１２１の上壁には、後方から端子収容室１２１に挿入された端子１４０を後方へ抜け止めする、可撓性を有したランス１２４が設けられている。更に、側壁面１２３の前寄りの部分には、前後方向に離間して前側から順に、第１係止突起１２５と第２係止突起１２６とが設けられている。
【００３１】
図１（ｂ）に示すように、第１係止突起１２５は、嵌合方向に向けて傾斜した前側傾斜面１２５ａ、嵌合方向に平行な頂面１２５ｂ、嵌合方向に垂直な後側垂直面１２５ｃを備えている。更に、第２係止突起１２６は、嵌合方向に向けて傾斜した前側傾斜面１２６ａ、嵌合方向に平行な頂面１２６ｂ、嵌合方向に傾斜した後側傾斜面１２６ｃを備えている。
【００３２】
更に、コネクタハウジング１２０の上壁面１２２には、基板側ユニット１８０と嵌合した際にロックするロックアーム１２７が設けられ、ロックアーム１２７にはロック突起１２７ａが設けられている。これに対応し、基板側ユニット１８０の嵌合フード部１８２の上部壁にはロックアーム受入部１８７が設けられ、ロックアーム受入部１８７の壁にはロックアーム１２７のロック突起１２７ａが係合するロック孔１８７ａが設けられている。
【００３３】
更に、樹脂成形品よりなるフロントホルダ１３０は、端子窓（開口部）１３２を備えた前壁１３１と、前壁１３１の左右端から後方へ延出する一対の側部アーム１３６と、を有している。各側部アーム１３６には、長方形の係止孔１３７が設けられている。この係止孔１３７は、コネクタハウジング１２０の第１係止突起１２５や第２係止突起１２６と係合する開口部であり、係止孔１３７の後端側（コネクタハウジング１２０側）には、係止壁１３７ａが確保されている。
【００３４】
前壁１３１に形成された端子窓１３２は、端子１４０の必要部分を前方に臨ませるための開口であり、端子１４０に対応した数だけ対応した位置に設けられている。図３（ａ）に示すように、端子窓１３２の内周壁の上部には、端子１４０の押出バネ片１４５の前端１４５ａが係合する段部１３３が設けられている。
【００３５】
なお、コネクタハウジング１２０側の第１係止突起１２５及び第２係止突起１２６と、フロントホルダ１３０側の係止孔１３７及び係止壁１３７ａとが、フロントホルダ１３０をコネクタハウジング１２０に対して前側位置に、前後方向移動規制した状態で仮保持するための第１係止部に相当する。換言すると、図４（ｂ）に示すように、コネクタハウジング１２０側の第１係止突起１２５及び第２係止突起１２６の間に、フロントホルダ１３０側の係止壁１３７ａが挟まれることにより、フロントホルダ１３０が前側位置に仮保持される。
【００３６】
更に、コネクタハウジング１２０側の第１係止突起１２５及び第２係止突起１２６と、フロントホルダ１３０側の係止孔１３７及び係止壁１３７ａとが、フロントホルダ１３０をコネクタハウジング１２０に対して後側位置に前後方向移動規制した状態で仮保持するための第２係止部に相当する。換言すると、図４（ｄ）に示すように、コネクタハウジング１２０側の第１係止突起１２５及び第２係止突起１２６が、フロントホルダ１３０側の係止孔１３７に係合することにより、フロントホルダ１３０が後側位置に仮保持されることになる。
【００３７】
以上の構成により、図４（ａ），（ｂ）に示すように、フロントホルダ１３０がコネクタハウジング１２０に対して前側位置に仮保持されているとき、端子１４０の接点部１４２ａが、フロントホルダ１３０の内方に収容されて保護されるようになる。
【００３８】
更に、図４（ｃ），（ｄ）に示すように、フロントホルダ１３０がコネクタハウジング１２０に対して後側位置に仮保持されているとき、端子１４０の接点部１４２ａが、フロントホルダ１３０から前方に突出する。更に、このようにフロントホルダ１３０が後側位置に仮保持されているときには、端子１４０の押出バネ片１４５が弾性変形することにより、フロントホルダ１３０に前方への付勢力を付与している。
【００３９】
フロントホルダ１３０の後側位置への仮保持は、コネクタハウジング１２０側の第２係止突起１２６がフロントホルダ１３０側の係止壁１３７ａと係合していることで達成されている。但し、係止壁１３７ａの係合している第２係止突起１２６の後端面は後側傾斜面１２６ｃであるから、係止力が弱く、フロントホルダ１３０に前方からの押圧力が作用していないとき（コネクタ非嵌合時など）には、この係止力よりも押出バネ片１４５の付勢力が大きくなる。その結果、押出バネ片１４５の付勢力によって、フロントホルダ１３０が前側位置に戻される。
【００４０】
次いで、コネクタ１１０の作用を説明する。
【００４１】
コネクタ嵌合前の状態では、図４（ａ）及び（ｂ）に示すように、フロントホルダ１３０には前方から後方へ向かう押圧力が作用していないので、フロントホルダ１３０は前側位置に保持される。この状態のときには、端子１４０の押出バネ片１４５の前端１４５ａがフロントホルダ１３０の段部１３３に係合して、端子１４０が前方に移動しないように規制されているので、端子１４０の接点部１４２ａはフロントホルダ１３０の内側に引っ込んだ状態になる。したがって、端子１４０の接点部１４２ａが、フロントホルダ１３０によって保護される。
【００４２】
この状態から、コネクタ１１０を基板側ユニット１８０に嵌合させる。そうすると、フロントホルダ１３０を前端部に保持した状態でコネクタハウジング１２０が、基板側ユニット１８０の嵌合フード部１８２の内部に進入する。その後、嵌合を更に進めることにより、フロントホルダ１３０が、基板側ユニット１８０側の図示しないストッパ壁などに当たって止まる。この状態で更に嵌合を進めて行くと、止まっているフロントホルダ１３０に対してコネクタハウジング１２０が前進する。換言すると、フロントホルダ１３０がコネクタハウジング１２０に対して相対的に後方に移動することになる。
【００４３】
これにより、図５（ｂ）に示すように、フロントホルダ１３０側の係止壁１３７ａが、コネクタハウジング１２０側の第２係止突起１２６を乗り越え、フロントホルダ１３０がコネクタハウジング１２０に対して後側位置に仮保持される。
【００４４】
この段階では、図５（ａ）に示すように、ロックアーム１２７のロック突起１２７ａが、嵌合フード部１８２側のロック孔１８７ａに係合する。更に、フロントホルダ１３０から端子１４０の接点部１４２ａが突出して、接点部１４２ａが基板側ユニット１８０の回路基板１８５上の電極１８６に押圧接触する。したがって、コネクタ１１０と基板側ユニット１８０を電気的に接続できる。
【００４５】
このとき、図５（ａ）に示すように、端子１４０の押出バネ片１４５は弾性変形した状態になり、フロントホルダ１３０には、押出バネ片１４５から前方に向けた付勢力が加えられる。
【００４６】
次いで、基板側ユニット１８０に対するコネクタ１１０の嵌合を外すと、押出バネ片１４５の復元反力により、図４（ａ）及び（ｂ）に示すように、フロントホルダ１３０が前方に押し出され、それにより、端子１４０の接点部１４２ａがフロントホルダ１３０の内部に再び納まる。
【００４７】
以上に説明したように、本構成のコネクタ１１０によれば、相手側コネクタ（基板側ユニット１８０）に嵌合する前、フロントホルダ１３０がコネクタハウジング１２０に対して前側位置に保持されている状態のときには、端子１４０の接点部１４２ａがフロントホルダ１３０の内部に収容されるので、接点部１４２ａを保護できる。したがって、ワイヤーハーネス製造時などに、接点部１４２ａにキズが付いたり、接点部１４２ａが変形したり、接点部１４２ａに異物が付着したりする可能性を無くすことができ、接触信頼性の低下の懸念を払拭できる。
【００４８】
更に、相手側コネクタ（基板側ユニット１８０）に嵌合したときには、フロントホルダ１３０がコネクタハウジング１２０に対して後側位置に移動することになるので、端子１４０の接点部１４２ａをフロントホルダ１３０から露出させることができて、回路基板１８５の電極１８６に接点部１４２ａを接触させることができる。
【００４９】
更に、相手側コネクタ（基板側ユニット１８０）との嵌合を解除したときには、フロントホルダ１３０をコネクタハウジング１２０に対して後側位置に移動させる力が解除されるので、押出バネ片１４５の付勢力によって、フロントホルダ１３０を即座に前側位置に戻すことができ、端子１４０の接点部１４２ａを保護する状態にできる。
【００５０】
＜第１実施形態の変形例＞
端子１４０の押出バネ片１４５の構成は各種変更が可能である。例えば、図６（ａ）に示す端子１４０Ｂでは、複数の押出バネ片１４５Ｂを上下に対称に配置するようにしている。この場合、各押出バネ片１４５Ｂに対応してフロントホルダ１３０の段部１３３を設けることになる。
【００５１】
更に、図６（ｂ）に示す端子１４０Ｃでは、片持状の押出バネ片ではなく、両持ち状の押出バネ片１４５Ｃを設けている。この場合、図示例のように、複数の両持ち状の押出バネ片１４５Ｃを対称に配置してもよいし、１つの押出バネ片１４５Ｃだけを配置してもよい。更に、両持ち状の押出バネ片１４５Ｃを採用した場合、バネ力が有効にフロントホルダ１３０に伝わるように、段部１３３の角部に傾斜面１３３ａを設ける等の工夫を施すのが望ましい。
【００５２】
＜第２実施形態＞
【００５３】
図７に示すように、コネクタ装置２００は、第２実施形態に係るコネクタ（以下「コネクタ２１０」という。）と、基板側ユニット２８０（基板側コネクタに相当）と、を備えている。
【００５４】
コネクタ２１０は、樹脂成形品よりなるアウタハウジング２２０と、アウタハウジング２２０の前端内部に前後方向移動可能に組み付けられるインナハウジング２３０と、アウタハウジング２２０とインナハウジング２３０の内部に収容される金属製の端子２４０と、からなる。
【００５５】
コネクタ２１０の接続対象である基板側ユニット２８０は、樹脂製のユニットケース２８１を備えている。ユニットケース２８１には、基板保持部２８３が設けられており、基板保持部２８３に回路基板２８５が収容保持されている。基板保持部２８３の前面には、筒状の嵌合フード部２８２が突設されている。嵌合フード部２８２の内側の空間は、コネクタ２１０を受け入れる空間であるコネクタ嵌合口２８２ａ（図１０参照）となっている。
【００５６】
回路基板２８５は、コネクタ２１０の嵌合方向（前後方向）に垂直な姿勢で配置されており、回路基板２８５の前面（コネクタ２１０が嵌合されて来る方向に向かった表面）に、コネクタ２１０の各端子２４０が接続される電極２８６が、端子２４０の位置に対応して配置されている。
【００５７】
電極２８６は、回路基板２８５に形成された導体パターン（基板パターン）の一部によって構成されており、必要に応じて、端子接触面（コネクタ２１０の端子２４０が接触する表面）には、例えば、錫（Ｓｎ）メッキ層が形成されている。
【００５８】
アウタハウジング２２０には端子収容室２２１が設けられており、端子収容室２２１の前側には、インナハウジング２３０を受け入れる段部２２４が設けられている。各端子収容室２２１にはそれぞれ端子２４０が挿入されている。端子２４０は、回路基板２８５上の平面状の電極２８６に直接接触して導通をとる基板ダイレクト接続端子である。端子２４０は、電線加締部２４３により電線Ｗの先端に取り付けられた状態で、アウタハウジング２２０の端子収容室２２１に後方から挿入されている。
【００５９】
図８及び図９に示すように、端子２４０は、コネクタ嵌合方向（前後方向）に長く、アウタハウジング２２０に保持される端子本体２４０Ａと、端子本体２４０Ａとは別体に作成されて、端子本体２４０Ａに対して前後方向スライド自在に組み合わせられた筒状の箱部２４６と、からなる。
【００６０】
端子本体２４０Ａは、前端に、コネクタ２１０の接続相手の回路基板２８５上の電極２８６に突き当て接触する接点部２４２ａを有した弾性バネ片２４２を備えている。更に、端子本体２４０Ａは、弾性バネ片２４２の後側に、別体に作成された筒状の箱部２４６の前後方向のスライドを案内するガイド筒部２４１を備えている。更に、その後側に電線加締部２４３を備えている。
【００６１】
箱部２４６は、弾性バネ片２４２の弾性を利用して弾性バネ片２４２を包囲するように、端子本体２４０Ａに簡単に脱落しないように装着されている。その上で、箱部２４６は、インナハウジング２３０の端子窓２３２の内周に嵌合固定されている。
【００６２】
箱部２４６と端子本体２４０Ａの寸法関係は、図９（ｂ）に示すように、箱部２４６がガイド筒部２４１にかかる範囲で前側位置にあるときに、弾性バネ片２４２の接点部２４２ａが箱部２４６の内部に納まり、且つ、図９（ｃ）に示すように、箱部２４６が弾性バネ片２４２を安定的に包囲し得る範囲で後側位置にあるときに、弾性バネ片２４２の接点部２４２ａが箱部２４６から突出するような関係に設定されている。
【００６３】
更に、樹脂成形品よりなるインナハウジング２３０は、図７に示すように、端子窓（開口部）２３２を備えた前壁２３１を有し、前壁２３１の左右両側面に係止突起２３６を有している。この係止突起２３６は、インナハウジング２３０がアウタハウジング２２０の段部２２４に装着された際に、アウタハウジング２２０の段部２２４の側壁に設けられた係止孔２２６と係合する。
【００６４】
係止突起２３６と係止孔２２６の係合は、インナハウジング２３０がアウタハウジング２２０に対して前後方向の所定の範囲でスライドできるように余裕を持って行われている。その範囲の一端側（押し込み側）の規制は、係止突起２３６と係止孔２２６の寸法関係以外に、段部２２４の奥端壁２２４ａにインナハウジング２３０が当たることでも行われるようになっている。
【００６５】
更に、アウタハウジング２２０は、図７に示すように、周壁２２２として、上壁面２２２ａと左右側壁面２２２ｂとを有する、コネクタ嵌合方向に見た断面形状が四角形状のものとして形成されている。アウタハウジング２２０には、端子収容室２２１が前後方向に貫通して設けられており、図１０（ａ）に示すように、各端子収容室２２１の上部内壁には、後方から端子収容室２２１に挿入された端子本体２４０Ａを後方へ抜け止めする、可撓性を有したランス２２５が設けられている。
【００６６】
更に、アウタハウジング２２０の上壁面２２２ａには、基板側ユニット２８０と嵌合した際にロックするロックアーム２２７が設けられ、ロックアーム２２７にはロック突起２２７ａが設けられている。これに対応して、基板側ユニット２８０の嵌合フード部２８２の上部壁にはロックアーム受入部２８７が設けられ、ロックアーム受入部２８７の壁にはロックアーム２２７のロック突起２２７ａが係合するロック孔２８７ａが設けられている。
【００６７】
以上の構成により、図１０（ａ）に示すように、インナハウジング２３０がアウタハウジング２２０に対して前側位置に保持されているとき、端子２４０の接点部２４２ａが、インナハウジング２３０及び箱部２４６の内方に収容されて保護されるようになる。
【００６８】
更に、図１０（ｂ）に示すように、インナハウジング２３０がアウタハウジング２２０に対して後側位置に保持されているとき、端子２４０の接点部２４２ａが、インナハウジング２３０及び箱部２４６から前方に突出するようになる。
【００６９】
次いで、コネクタ２１０の作用を説明する。
【００７０】
コネクタ嵌合前の状態では、図１０（ａ）に示すように、インナハウジング２３０には前方から後方へ向かう押圧力が作用していないので、インナハウジング２３０は前側位置に保持される。この状態のときには、端子２４０の接点部２４２ａは、インナハウジング２３０及び箱部２４６の内側に引っ込んだ状態になる。したがって、端子２４０の接点部２４２ａが、インナハウジング２３０及び箱部２４６によって保護される。
【００７１】
この状態から、コネクタ２１０を基板側ユニット２８０に嵌合させる。そうすると、インナハウジング２３０を前端部に保持した状態でアウタハウジング２２０が、基板側ユニット２８０の嵌合フード部２８２の内部に進入する。嵌合を更に進めると、インナハウジング２３０が、基板側ユニット２８０の内部に形成されたストッパ壁２８４に当たって止まる。この状態で更に嵌合を進めると、止まっているインナハウジング２３０に対してアウタハウジング２２０が前進する。換言すると、インナハウジング２３０及び箱部２４６が、アウタハウジング２２０に対して相対的に後方に移動することになる。このとき、アウタハウジング２２０と一緒に、ランス２２５に押されて端子本体２４０Ａも前進する。
【００７２】
インナハウジング２３０及び箱部２４６がアウタハウジング２２０に対する後側位置に到達するまでアウタハウジング２２０が前進すると、ロックアーム２２７のロック突起２２７ａが嵌合フード部２８２側のロック孔２８７ａに係合し、同時に、ランス２２５に押された端子本体２４０Ａの接点部２４２ａが、インナハウジング２３０及び箱部２４６から前方に突出して、基板側ユニット２８０の回路基板２８５上の電極２８６に押圧接触する。したがって、コネクタ２１０と基板側ユニット２８０を電気的に接続できる。
【００７３】
以上に説明したように、本構成のコネクタ２１０によれば、相手側コネクタ（基板側ユニット２８０）に嵌合する前、インナハウジング２３０がアウタハウジング２２０に対して前側位置にあるときには、端子２４０の接点部２４２ａがインナハウジング２３０及び箱部２４６の内部に収容されるので、接点部２４２ａを保護できる。したがって、ワイヤーハーネス製造時などに、接点部２４２ａにキズが付いたり、接点部２４２ａが変形したり、接点部２４２ａに異物が付着したりする可能性を無くすことができ、接触信頼性の低下の懸念を払拭できる。
【００７４】
更に、相手側コネクタ（基板側ユニット２８０）に嵌合したとき、インナハウジング２３０がアウタハウジング２２０に対して後側位置に移動することになるので、インナハウジング２３０及び箱部２４６に対してランス２２５により弾性バネ片２４２を前側に押し出すことができる。これにより、弾性バネ片２４２の前端の接点部２４２ａを、インナハウジング２３０及び箱部２４６から突出させることができ、回路基板２８５の電極２８６に接点部２４２ａを接触させることができる。
【００７５】
＜第２実施形態の変形例＞
図１１（ａ）及び（ｂ）に示すように、変形例のコネクタ２１０Ｂは、インナハウジング２３０の前面の左右両端に、前方に突出する突当壁２３８を設けている。これらの突当壁２３８は、基板側ユニット２８０Ｂにコネクタ２１０Ｂを嵌合したとき、突当壁２３８が回路基板２８５に突き当たることにより、インナハウジング２３０のそれ以上の前進を止めるためのものである。この突当壁２３８を設けたことにより、基板側ユニット２８０Ｂに設けていたストッパ壁２８４（図１０（ｂ）参照）を省略している。更に、端子本体２４０Ｂの箱部２４６Ｂが、インナハウジング２３０Ｂから前方に脱落しないように、箱部２４６Ｂの下面にストッパ突起２４６ａを設け、このストッパ突起２４６ａをインナハウジング２３０Ｂの端子窓２３２の内周壁に設けた係止溝２３２ａに係合させている。更に、アウタハウジング２２０Ｂの端子収容室２２１の内底壁には、箱部２４６Ｂを装着した端子本体２４０Ｂを後方から挿入するときに、ストッパ突起２４６ａの通過を許容する溝部２２１ａを設けている。
【００７６】
このコネクタ２１０Ｂの場合も、図１１に示す嵌合前の状態及び嵌合完了前の状態では、インナハウジング２３０Ｂがアウタハウジング２２０Ｂに対して前側位置にあることにより、端子本体２４０Ｂの接点部２４２ａがインナハウジング２３０Ｂ及び箱部２４６Ｂの内部に収容されるため、接点部２４２ａを保護できる。
【００７７】
更に、この状態から、コネクタ２１０Ｂを基板側ユニット２８０Ｂに嵌合させると、インナハウジング２３０Ｂを前端部に保持した状態でアウタハウジング２２０Ｂが、基板側ユニット２８０Ｂの嵌合フード部２８２の内部に進入して行く。嵌合を更に進めると、図１２（ｂ）に示すように、インナハウジング２３０Ｂの突当壁２３８が回路基板２８５に当たって止まる。この状態で更に嵌合を進めて行くと、止まっているインナハウジング２３０Ｂに対してアウタハウジング２２０Ｂが前進する。換言すると、インナハウジング２３０Ｂ及び箱部２４６Ｂが、アウタハウジング２２０Ｂに対して相対的に後方に移動することになる。このとき、アウタハウジング２２０Ｂと一緒に、ランス２２５に押されて端子本体２４０Ｂも前進する。
【００７８】
インナハウジング２３０Ｂ及び箱部２４６Ｂがアウタハウジング２２０Ｂに対する後側位置に到達するまでアウタハウジング２２０Ｂが前進すると、ロックアーム２２７のロック突起２２７ａが嵌合フード部２８２側のロック孔２８７ａに係合し、同時に、ランス２２５に押された端子本体２４０Ｂの接点部２４２ａが、インナハウジング２３０Ｂ及び箱部２４６Ｂから前方に突出して、基板側ユニット２８０Ｂの回路基板２８５上の電極２８６に押圧接触する。したがって、コネクタ２１０Ｂと基板側ユニット２８０Ｂを電気的に接続できる。
【００７９】
＜第３実施形態＞
図１３，図１４に示すように、コネクタ装置３００は、第３実施形態に係るコネクタ（以下「コネクタ３１０」という。）と、基板側ユニット３８０（基板側コネクタに相当）と、を備えている。
【００８０】
更に、図１３に示すように、コネクタ３１０は、樹脂成形品よりなるアウタハウジング３２０と、アウタハウジング３２０の前端内部に前後方向移動可能に組み付けられるインナハウジング３３０と、アウタハウジング３２０とインナハウジング３３０の内部に収容される金属製の端子３４０と、からなる。
【００８１】
図１４を用いて先にコネクタ３１０の接続対象である基板側ユニット３８０について述べると、基板側ユニット３８０は、ユニットケース３８１の一部を回路基板３８５としたもので、回路基板３８５に垂直な筒状の嵌合フード部３８２を備えている。嵌合フード部３８２の内側の空間は、コネクタ３１０を受け入れるコネクタ嵌合口３８２ａとなっている。
【００８２】
回路基板３８５は、コネクタ３１０の嵌合方向（前後方向）に垂直に位置し、回路基板３８５の前面（コネクタ３１０が嵌合されて来る方向に向かった表面）に、コネクタ３１０の各端子３４０が接続される電極３８６が、端子３４０の位置に対応して配置されている。
【００８３】
電極３８６は、例えば、回路基板３８５に形成された導体パターン（基板パターン）の一部によって構成されており、必要に応じて、端子接触面（コネクタ３１０の端子３４０が接触する表面）には、錫（Ｓｎ）メッキなどのメッキ層が形成されている。
【００８４】
再び図１３を参照すると、アウタハウジング３２０には、その内側に、端子収容室３２３が前後方向に貫通して設けられている。端子収容室３２３の前部には、インナハウジング３３０を受け入れる段部３２４が設けられている。段部３２４の奥端壁３２４ａは、インナハウジング３３０の後方への移動規制壁となっている。
【００８５】
各端子収容室３２３にはそれぞれ端子３４０が挿入されている。端子３４０は、回路基板３８５上の平面状の電極３８６に直接接触して導通をとる基板ダイレクト接続端子である。端子３４０は、電線加締部３４７により電線Ｗの先端に取り付けられた状態で、アウタハウジング３２０の端子収容室３２３に後方から挿入されている。更に、端子収容室３２３の上部内壁には、後方から端子収容室３２３に挿入された端子３４０を後方へ抜け止めする、可撓性を有したランス３２５が設けられている。
【００８６】
本実施形態のコネクタ３１０に使用されている端子３４０は、インナハウジング３３０に保持される端子本体３４１と、端子本体３４１とは別体に作成されて、端子本体３４１に対して前後方向スライド自在に組み合わせられる弾性バネ片３４２と、からなる。
【００８７】
端子本体３４１は、前部に箱部３４５を有しており、その後部に電線加締部３４７を有している。箱部３４５は、上壁３４５ａと下壁３４５ｂと左右側壁３４５ｃとを有する四角筒状の部分である。弾性バネ片３４２は、帯板をＵ字状に湾曲成形したもので、Ｕ字状の湾曲部に接点部３４２ａが設けられ、接点部３４２ａの上側に連続して上辺部３４２ｂが設けられ、接点部３４２ａの下側に連続して下辺部３４２ｄが設けられている。上辺部３４２ｂと下辺部３４２ｄは互いに平行に後方に延出しており、上辺部３４２ｂの後端は、受圧部３４２ｃとして外側に曲げ形成され、下辺部３４２ｄの後端は、そのまま後方に自由端３４２ｅとして延びている。接点部３４２ａは、コネクタ３１０の接続相手の回路基板３８５上の電極３８６に突き当て接触する部分である。
【００８８】
Ｕ字状に湾曲成形された弾性バネ片３４２は、図１４に示すように、接点部３４２ａを前方へ向けて、端子本体３４１の箱部３４５の内部に、前後方向スライド自在に挿入されており、自身の弾性を利用して箱部３４５の内部に安定的に保持されている。弾性バネ片３４２の受圧部３４２ｃは、弾性バネ片３４２が箱部３４５に対して前方に押し移動される際、アウタハウジング３２０のランス３２５から押し移動力を受ける部分である。受圧部３４２ｃは、箱部３４５の後端の外側に位置しており、弾性バネ片３４２が箱部３４５に対して前方に押し移動された際に、箱部３４５の後端に当たることにより、箱部３４５からの弾性バネ片３４２の前方への突き抜けを阻止する抜け止め部の役目も果たす。
【００８９】
更に、箱部３４５の上壁３４５ａには、後斜め上方に向けて突出する係止片３４６が、上壁３４５ａの一部を切り起こすことで形成されている。
【００９０】
インナハウジング３３０は、アウタハウジング３２０の端子収容室３２３に対応して、前後方向に貫通した端子収容室３３２を有している。端子本体３４１は、箱部３４５を端子収容室３３２の内周に嵌合することにより、インナハウジング３３０に保持されている。その際、箱部３４５の前端が、端子収容室３３２の内周に突設された係止突起３３５に係合することにより、箱部３４５は前方へ抜け止めされている。
【００９１】
更に、箱部３４５の上壁３４５ａに設けた傾斜した係止片３４６が、端子収容室３３２の内周に形成された溝３３３に嵌まり、且つ、係止片３４６の先端（後端）が溝３３３の端部３３３ａに係合することにより、箱部３４５は後方へ抜け止めされている。それにより、箱部３４５は、インナハウジング３３０の端子収容室３３２に、前後方向に位置規制された状態で、嵌合固定されている。
【００９２】
ここでは、箱部３４５とインナハウジング３３０との間に設けられたこれらの要素、つまり係止片３４６、溝３３３、箱部３４５の前端、係止突起３３５が、インナハウジング３３０に対する箱部３４５（端子本体３４１）の前後方向の移動を阻止する係合部を構成している。
【００９３】
更に、アウタハウジング３２０の内壁のインナハウジング３３０が収容される位置には、インナハウジング３３０を仮係止する係止突起３２６が設けられている。一方、インナハウジング３３０の外周には、アウタハウジング３２０の係止突起３２６に係合する係止突起３３６が設けられている。
【００９４】
アウタハウジング３２０のランス３２５は、アウタハウジング３２０の内部に対する端子本体３４１及び弾性バネ片３４２の後方から前方への挿入を許容し、且つ、弾性バネ片３４２の後端の受圧部３４２ｃに係合することにより、弾性バネ片３４２の後退を阻止する役目を果たす。
【００９５】
図１４に示すように、コネクタ３１０を基板側ユニット３８０に嵌合する前の状態のとき、インナハウジング３３０の係止突起３３６は、アウタハウジング３２０の係止突起３２６より前方に位置しており、インナハウジング３３０は、アウタハウジング３２０に対して前側位置に位置している。インナハウジング３３０に後方へ向けた一定以上の押圧力がかからない限り、インナハウジング３３０の係止突起３３６はアウタハウジング３２０の係止突起３２６を乗り越えないので、インナハウジング３３０はその位置に仮保持される。
【００９６】
この状態のとき、インナハウジング３３０の後端及び端子本体３４１の箱部３４５の後端と、ランス３２５が係合する弾性バネ片３４２の後端の受圧部３４２ｃとの間には、所定の隙間Ｓが確保されている。このように、インナハウジング３３０が、アウタハウジング３２０に対して相対的に前側位置に保持されているとき、弾性バネ片３４２の接点部３４２ａは、インナハウジング３３０及び箱部３４５の内部に収容されるようになっており、それにより、接点部３４２ａが保護されている。
【００９７】
更に、弾性バネ片３４２が、前記の隙間Ｓの分だけ、箱部３４５の中で前方に押し移動されて、弾性バネ片３４２の後端の受圧部３４２ｃが箱部３４５の後端に当接した際には、図１６に示すように、弾性バネ片３４２の前端の接点部３４２ａが、箱部３４５の前端より前方に突出するように、箱部３４５や弾性バネ片３４２の寸法関係が設定されている。
【００９８】
更に、アウタハウジング３２０の上壁の外側には、基板側ユニット３８０と嵌合した際にロックするロックアーム３２２が設けられ、ロックアーム３２２にはロック突起３２２ａが設けられている。これに対応して、基板側ユニット３８０の嵌合フード部３８２の上部壁にはロックアーム受入部３８３が設けられ、ロックアーム受入部３８３の壁にはロックアーム３２２のロック突起３２２ａが係合するロック孔３８３ａが設けられている。
【００９９】
次いで、コネクタ３１０の作用を説明する。
【０１００】
コネクタ嵌合前の状態では、図１４に示すように、インナハウジング３３０には前方から後方へ向かう押圧力が作用していないので、インナハウジング３３０は前側位置に保持されている。この状態のときには、端子３４０の接点部３４２ａは、インナハウジング３３０及び箱部３４５の内側に引っ込んだ状態になる。したがって、端子３４０の接点部３４２ａが、インナハウジング３３０及び箱部３４５によって保護される。
【０１０１】
この状態から、コネクタ３１０を基板側ユニット３８０に嵌合させる。そうすると、インナハウジング３３０を前端部に保持した状態でアウタハウジング３２０が、基板側ユニット３８０の嵌合フード部３８２の内部に進入して行く。図１５に示すように嵌合を更に進めると、インナハウジング３３０の前端が、基板側ユニット３８０の回路基板３８５に突き当たって、インナハウジング３３０の前進が止まる。
【０１０２】
この状態で更に嵌合を進めて行くと、止まっているインナハウジング３３０に対してアウタハウジング３２０が前進する。換言すると、インナハウジング３３０及び箱部３４５が、アウタハウジング３２０に対して相対的に後方に移動することになる。このとき、インナハウジング３３０の前端には回路基板３８５から反力が作用するので、インナハウジング３３０の係止突起３３６がアウタハウジング３２０の係止突起３２６を乗り越える。それにより、図１６の矢印Ｘ１で示すように、アウタハウジング３２０と一緒に、ランス３２５に押されて弾性バネ片３４２も前進する。
【０１０３】
インナハウジング３３０及び箱部３４５がアウタハウジング３２０に対する後側位置に到達するまでアウタハウジング３２０及び弾性バネ片３４２が前進すると、ロックアーム３２２のロック突起３２２ａが嵌合フード部３８２側のロック孔３８３ａに係合し、同時に、ランス３２５に押された弾性バネ片３４２の接点部３４２ａが、箱部３４５の前端から前方に突出して、基板側ユニット３８０の回路基板３８５上の電極３８６に押圧接触する。したがって、コネクタ３１０と基板側ユニット３８０を電気的に接続できる。
【０１０４】
以上に説明したように、本構成のコネクタ３１０によれば、相手側コネクタ（基板側ユニット３８０）に嵌合する前の、インナハウジング３３０がアウタハウジング３２０に対して前側位置にあるときには、端子３４０の接点部３４２ａがインナハウジング３３０及び箱部３４５の内部に収容されるので、接点部３４２ａを保護できる。したがって、ワイヤーハーネス製造時などに、接点部３４２ａにキズが付いたり、接点部３４２ａが変形したり、接点部３４２ａに異物が付着したりする可能性を無くすことができ、接触信頼性の低下の懸念を払拭できる。
【０１０５】
更に、相手側コネクタ（基板側ユニット３８０）に嵌合したときには、インナハウジング３３０がアウタハウジング３２０に対して後側位置に移動することになるので、インナハウジング３３０及び箱部３４５に対して弾性バネ片３４２をアウタハウジング３２０のランス３２５によって前側に押し出すことができ、それにより、弾性バネ片３４２の前端の接点部３４２ａを、箱部３４５から露出させることができ、回路基板３８５の電極３８６に接点部３４２ａを接触させることができる。
【０１０６】
＜第４実施形態＞
図１７及び図１８に示すように、コネクタ装置４００は、第４実施形態に係るコネクタ（以下「コネクタ４１０」という。）と、基板側ユニット４８０（基板側コネクタに相当）と、を備えている。
【０１０７】
コネクタ４１０は、樹脂成形品よりなるコネクタハウジング４２０と、コネクタハウジング４２０の後方に端子挿入後に組み付けられるリアスペーサ４３０と、コネクタハウジング４２０の内部に収容される金属製の端子４４０と、からなる。
【０１０８】
コネクタ４１０の接続対象である基板側ユニット４８０は、ユニットケース４８１の一部を回路基板４８５としたもので、回路基板４８５に垂直な筒状の嵌合フード部４８２を備えている。嵌合フード部４８２の内側の空間は、コネクタ４１０を受け入れるコネクタ嵌合口４８２ａとなっている。
【０１０９】
回路基板４８５は、コネクタ４１０の嵌合方向（前後方向）に垂直に位置し、回路基板４８５の前面（コネクタ４１０が嵌合されて来る方向に向かった表面）に、コネクタ４１０の各端子４４０が接続される電極４８６が、端子４４０の位置に対応して配置されている。
【０１１０】
電極４８６は、例えば、回路基板４８５に形成された導体パターン（基板パターン）の一部によって構成されており、必要に応じて、端子接触面（コネクタ４１０の端子４４０が接触する表面）には、錫（Ｓｎ）メッキなどのメッキ層が形成されている。
【０１１１】
コネクタハウジング４２０には、周壁４２１の内側に、端子収容室４２３が前後方向に貫通して設けられている。各端子収容室４２３にはそれぞれ端子４４０が挿入されている。端子４４０は、回路基板４８５上の平面状の電極４８６に直接接触して導通をとる基板ダイレクト接続端子である。端子４４０は、電線加締部４４７により電線Ｗの先端に取り付けられた状態で、コネクタハウジング４２０の端子収容室４２３に後方から挿入されている。
【０１１２】
更に、コネクタハウジング４２０の上壁の外側には、基板側ユニット４８０と嵌合した際にロックするロックアーム４２２が設けられ、ロックアーム４２２にはロック突起４２２ａが設けられている。これに対応して、基板側ユニット４８０の嵌合フード部４８２の上部壁にはロックアーム受入部４８３が設けられ、ロックアーム受入部４８３の壁にはロックアーム４２２のロック突起４２２ａが係合するロック孔４８３ａが設けられている。
【０１１３】
本実施形態のコネクタ４１０に使用されている端子４４０は、コネクタハウジング４２０に嵌合保持される端子本体４４１と、端子本体４４１とは別体に作成されて、端子本体４４１に対して前後方向スライド自在に組み合わせられる弾性バネ片４４２と、からなる。この端子４４０は、第３実施形態の端子３４０と同じ構成のものである。
【０１１４】
端子本体４４１は、前部に箱部４４５を有しており、その後部に電線加締部４４７を有している。箱部４４５は、上壁と下壁と左右側壁とを有する四角筒状の部分である。弾性バネ片４４２は、帯板をＵ字状に湾曲成形したもので、Ｕ字状の湾曲部に接点部４４２ａが設けられ、接点部４４２ａの上側に連続して上辺部４４２ｂが設けられ、接点部４４２ａの下側に連続して下辺部４４２ｄが設けられている。上辺部４４２ｂと下辺部４４２ｄは互いに平行に後方に延出しており、上辺部４４２ｂの後端は、受圧部４４２ｃとして外側に曲げ形成されている。接点部４４２ａは、コネクタ４１０の接続相手の回路基板４８５上の電極４８６に突き当て接触する部分である。
【０１１５】
Ｕ字状に湾曲成形された弾性バネ片４４２は、接点部４４２ａを前方へ向けて、端子本体４４１の箱部４４５の内部に、前後方向スライド自在に挿入されており、自身の弾性を利用して箱部４４５の内部に安定的に保持されている。弾性バネ片４４２の受圧部４４２ｃは、弾性バネ片４４２が箱部４４５に対して前方に押し移動される際に、リアスペーサ４３０のランス４３１の先端４３２から押し移動力を受ける部分である。受圧部４４２ｃは、箱部４４５の後端の外側に位置しており、弾性バネ片４４２が箱部４４５に対して前方に押し移動された際に、箱部４４５の後端に当たることにより、箱部４４５からの弾性バネ片４４２の前方への突き抜けを阻止する抜け止め部の役目も果たす。
【０１１６】
更に、箱部４４５の上壁には、後斜め上方に向けて突出する係止片４４６が、上壁の一部を切り起こすことで形成されている。端子本体４４１は、箱部４４５を端子収容室４２３の前半部の内周に嵌合することにより、コネクタハウジング４２０に保持されている。その際、箱部４４５の上壁に設けた傾斜した係止片４４６が、端子収容室４２３の前半部内周に形成された溝４２４に嵌まり、且つ、係止片４４６の先端（後端）が溝４２４の後端部４２４ａに係合することにより、箱部４４５は後方へ抜け止めされている。更に、箱部４４５の前端が、端子収容室４２３の前端内周に突設された係止突起４２４ｂに係合することにより、箱部４４５は前方へ抜け止めされている。それにより、箱部４４５は、コネクタハウジング４２０の端子収容室４２３の前半部に、前後方向に位置規制された状態で、嵌合固定されている。
【０１１７】
ここでは、箱部４４５とコネクタハウジング４２０との間に設けられたこれらの要素、つまり係止片４４６、溝４２４、箱部４４５の前端、係止突起４２４ｂが、コネクタハウジング４２０に対する箱部４４５（端子本体４４１）の前後方向の移動を阻止する係合部を構成している。
【０１１８】
一方、リアスペーサ４３０は、コネクタハウジング４２０の端子収容室４２３に後方から挿入されるものであり、前方に延びるランス４３１と、ロック突起４３３と、電線引出孔４３４と、を有している。この場合のランス４３１は、単に弾性バネ片４４２を、端子収容室４２３へ挿入後に前方へ押し移動するためのものであるから、可撓性は有していない。更に、コネクタハウジング４２０の内壁のリアスペーサ４３０が収容される位置には、リアスペーサ４３０のロック突起４３３と係合するロック孔４２５が設けられている。
【０１１９】
コネクタ嵌合前の状態から、図１７に示すように、コネクタハウジング４２０を基板側ユニット４８０の嵌合フード部４８２に嵌合してロックアーム４２２を完全にロックさせたものの、リアスペーサ４３０により弾性バネ片４４２を前方に押し移動する前の状態までは、端子本体４４１の箱部４４５の後端と、弾性バネ片４４２の後端の受圧部４４２ｃとの間に、所定の隙間Ｓが確保されている。この状態のとき、弾性バネ片４４２の接点部４４２ａは、箱部４４５の内部に収容されるようになっており、それにより、接点部４４２ａが保護されている。
【０１２０】
更に、弾性バネ片４４２が、前記の隙間Ｓの分だけ、箱部４４５の中で前方に押し移動されて、弾性バネ片４４２の後端の受圧部４４２ｃが箱部４４５の後端に当接した際には、図１８に示すように、弾性バネ片４４２の前端の接点部４４２ａが、箱部４４５の前端より前方に突出するように、箱部４４５や弾性バネ片４４２の寸法関係が設定されている。
【０１２１】
次いで、コネクタ４１０の作用を説明する。
【０１２２】
コネクタ嵌合前の状態では、端子４４０の接点部４４２ａは、箱部４４５の内側に引っ込んだ状態になるので、端子４４０の接点部４４２ａが箱部４４５によって保護される。
【０１２３】
この状態から、コネクタ４１０を基板側ユニット４８０に嵌合させると、コネクタハウジング４２０が基板側ユニット４８０の嵌合フード部４８２の内部に進入して行く。更に嵌合を進めると、コネクタハウジング４２０の前端が、基板側ユニット４８０の回路基板４８５に突き当たって、コネクタハウジング４２０の前進が止まる。図１７はその状態を示している。この段階では、コネクタハウジング４２０のロックアーム４２２のロック突起４２２ａが基板側ユニット４８０のロック孔４８３ａに係合し、基板側ユニット４８０とコネクタハウジング４２０はロックされる。
【０１２４】
図１７に示す状態（即ち、コネクタハウジング４２０を基板側ユニット４８０の嵌合フード部４８２に嵌合してロックアーム４２２を完全にロックさせたものの、リアスペーサ４３０により弾性バネ片４４２を前方に押し移動する前の状態）のときには、端子４４０の接点部４４２ａは、箱部４４５の内側に引っ込んだ状態になり、端子４４０の接点部４４２ａが箱部４４５によって保護されている。
【０１２５】
この状態で、図１８の矢印Ｘ１で示すように、リアスペーサ４３０を端子収容室４２３に押し込む。そうすると、ランス４３１の先端４３２が受圧部４４２ｃを介して弾性バネ片４４２を押し移動する。それにより、ランス４３１に押された弾性バネ片４４２の接点部４４２ａが、箱部４４５の前端から前方に突出して、基板側ユニット４８０の回路基板４８５上の電極４８６に押圧接触する。したがって、コネクタ４１０と基板側ユニット４８０を電気的に接続できる。
【０１２６】
この段階で、リアスペーサ４３０のロック突起４３３がコネクタハウジング４２０のロック孔４２５に係合し、リアスペーサ４３０が弾性バネ片４４２の後退を阻止する。
【０１２７】
以上のように、本構成のコネクタ４１０によれば、相手側コネクタ（基板側ユニット４８０）に嵌合する前の状態においては、端子４４０の接点部４４２ａがコネクタハウジング４２０及び箱部４４５の内部に収容されるので、接点部４４２ａを保護できる。したがって、ワイヤーハーネス製造時などに、接点部４４２ａにキズが付いたり、接点部４４２ａが変形したり、接点部４４２ａに異物が付着したりする可能性を無くすことができ、接触信頼性の低下の懸念を払拭できる。
【０１２８】
更に、相手側コネクタ（基板側ユニット４８０）に嵌合した段階で、コネクタハウジング４２０の内部にリアスペーサ４３０を後方から挿入することにより、弾性バネ片４４２を前側に押し出すことができるので、弾性バネ片４４２の前端の接点部４４２ａを、箱部４４５から露出させることができ、回路基板４８５の電極４８６に接点部４４２ａを接触させることができる。
【０１２９】
図１９は、基板側ユニット５８０とコネクタ５１０の関係の概略を示す外観斜視図である。第３実施形態及び第４実施形態の基板側ユニットも、図１９に示すような基板側ユニット５８０として構成できる。この図示例のコネクタ装置５００は、コネクタ５１０及び基板側ユニット５８０で構成されている。
【０１３０】
基板側ユニット５８０は、ケース本体５８７とケース蓋５８８からなるユニットケース５８１の内部に回路基板５８５を収容したもので、ケース蓋５８８に嵌合フード部５８２が設けられている。
【０１３１】
なお、本発明は上記各実施形態に限定されることはなく、本発明の範囲内において種々の変形例を採用できる。即ち、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【０１３２】
ここで、上述した本発明に係るコネクタの実施形態の特徴をそれぞれ以下（１）〜（６）に簡潔に纏めて列記する。
（１）
端子（１４０）と、前記端子が収容されたハウジング（１２０，１３０）と、を備えたコネクタ（１１０）であって、
前記ハウジングは、
前記端子を保持する第１ハウジング部材（１２０）と、前記第１ハウジング部材に前後方向移動可能に組み付けられた第２ハウジング部材（１３０）と、を含み、
前記端子（１４０）は、
前記第１ハウジング部材（１２０）と前記第２ハウジング部材（１３０）との相対移動に伴い、前記ハウジングから前記端子（１４０）が突出した第１状態と、前記ハウジングから前記端子（１４０）が突出しない第２状態と、を切り替え可能である、
コネクタ（１１０）。
（２）
上記（１）に記載のコネクタにおいて、
前記第１ハウジング部材がハウジング本体（１２０）であると共に、前記第２ハウジング部材がフロントホルダ（１３０）であり、
前記ハウジング本体（１２０）及び前記フロントホルダ（１３０）が、前記フロントホルダを前記ハウジング本体に対して前側位置に保持するための第１係止構造（１３７，１２５）と、前記フロントホルダ（１３０）を前記ハウジング本体に対して後側位置に保持するための第２係止構造（１３７，１２６）と、を有し、
前記端子（１４０）が、
該コネクタの接続相手の回路基板上の電極（１８６）に突き当て接触する接点部（１４２ａ）を前端に有し、前記接点部（１４２ａ）を前記ハウジング本体（１２０）の前端から突出させた状態で、前記ハウジング本体に保持されており、
前記フロントホルダ（１３０）が前記ハウジング本体（１２０）に対して前側位置に保持されているとき、前記接点部（１４２ａ）が前記フロントホルダ（１３０）の内方に収容され、前記フロントホルダ（１３０）が前記ハウジング本体（１２０）に対して後側位置に保持されているとき、前記接点部（１４２ａ）が前記フロントホルダ（１３０）から前方に突出する、
コネクタ（１１０）。
（３）
上記（２）に記載のコネクタにおいて、
前記端子（１４０）が、
前記ハウジング本体（１２０）が前記後側位置に保持されているとき、弾性変形することによって前記フロントホルダを前方に付勢する押出バネ片（１４５）を有する、
コネクタ（１１０）。
（４）
上記（１）に記載のコネクタにおいて、
前記第１ハウジング部材がアウタハウジング（２２０）であると共に、前記第２ハウジング部材がインナハウジング（２３０）であり、
前記端子（２４０）が、
前記アウタハウジング（２２０）に保持される端子本体（２４０Ａ）と、前記端子本体に対して前後方向にスライド自在に組み合わせられる筒状の箱部（２４６）と、を有し、
前記端子本体（２４０Ａ）が、
該コネクタの接続相手の回路基板上の電極（２８６）に突き当て接触する接点部（２４２ａ）を前端に有した弾性バネ片（２４２）を備え、
前記箱部（２４６）が、
前記弾性バネ片（２４２）の弾性を利用して前記弾性バネ片を包囲するように前記端子本体（２４０Ａ）に装着されると共に、前記インナハウジング（２３０）の開口部（２３２）の内周に嵌合固定され、
前記インナハウジング（２３０）が前記アウタハウジング（２２０）に対して前側位置にあるとき、前記端子の接点部（２４２ａ）が前記箱部（２４６）の内部に収容され、前記インナハウジング（２３０）が前記アウタハウジング（２２０）に対して後側位置にあるとき、前記端子の接点部（２４２ａ）が前記箱部（２４６）の前方に突出する、
コネクタ（２１０）。
（５）
上記（１）に記載のコネクタにおいて、
前記第１ハウジング部材がアウタハウジング（３２０）であると共に、前記第２ハウジング部材がインナハウジング（３３０）であり、
前記端子（３４０）が、
筒状の箱部（３４５）を前部に有すると共に、前記箱部を前記インナハウジング（３３０）の端子収容室（３３２）の内周に嵌合固定することによって前記インナハウジング（３３０）に保持される端子本体（３４１）と、
前記端子本体（３４１）と別体とされ、該コネクタの接続相手の回路基板上の電極に突き当て接触する接点部（３４２ａ）を前端に有し、前記箱部（３４５）の内部に自らの弾性を利用して装着されることによって前記箱部に対して前後方向に移動可能に設けられた弾性バネ片（３４２）と、を有し、
前記インナハウジング（３３０）が前記アウタハウジング（３２０）に対して前側位置にあるとき、前記端子の接点部（３４２ａ）が前記箱部（３４５）の内部に収容され、前記インナハウジング（３３０）が前記アウタハウジング（３２０）に対して後側位置にあるとき、前記端子の接点部（３４２ａ）が前記箱部（３４５）の前方に突出する、
コネクタ（３１０）。
（６）
上記（１）に記載のコネクタにおいて、
前記第１ハウジング部材がハウジング本体（４２０）であると共に、前記第２ハウジング部材が前記コネクタハウジングの後端内部に後方から挿入されるスペーサ（４３０）であり、
前記端子（４４０）が、
筒状の箱部（４４５）を前部に有すると共に、前記箱部（４４５）を前記コネクタハウジングの端子収容室（４２３）の内周に嵌合固定することによって前記コネクタハウジングに保持される端子本体（４４１）と、
前記端子本体（４４１）と別体とされ、該コネクタの接続相手の回路基板上の電極（４８６）に突き当て接触する接点部（４４２ａ）を前端に有し、且つ、前記箱部（４４５）の内部に自らの弾性を利用して装着されることによって前記箱部（４４５）に対して前後方向に移動可能に設けられた弾性バネ片（４４２）と、を有し、
前記スペーサ（４３０）は、
前記端子（４４０）を前記コネクタハウジングの端子収容室に嵌合固定した状態にて前記コネクタハウジングの端子収容室（４２３）に後方から挿入されることにより、前記弾性バネ片（４４２）を前方に押して前記箱部（４４５）の内部に収容されていた前記接点部（４４２ａ）を前記箱部（４４５）の前方に突出させると共に、前記端子（４４０）の後退を阻止する、
コネクタ（４１０）。
【符号の説明】
【０１３３】
１１０  コネクタ
１２０  コネクタハウジング（第１ハウジング部材、ハウジング本体）
１２５  第１係止突起（第１係止部、第２係止部）
１２６  第２係止突起（第１係止部、第２係止部）
１３０  フロントホルダ（第２ハウジング部材）
１３７  係止孔（第１係止部、第２係止部）
１３７ａ  係止壁（第１係止部、第２係止部）
１４０  端子
１４２ａ  接点部
１４５  押出バネ片
１８５  回路基板
１８６  電極
２１０  コネクタ
２２０  アウタハウジング
２３０  インナハウジング
２３２  端子窓（開口部）
２４０  端子
２４０Ａ  端子本体
２４２  弾性バネ片
２４２ａ  接点部
２４６  箱部
２８５  回路基板
２８６  電極
３１０  コネクタ
３２０  アウタハウジング
３２５  ランス
３３０  インナハウジング
３３３  溝
３３５  係止突起（係合部）
３４０  端子
３４１  端子本体
３４２  弾性バネ片
３４２ａ  接点部
３４２ｃ  受圧部（抜け止め部）
３４５  箱部
３４６  係止片（係合部）
３８５  回路基板
３８６  電極
４１０  コネクタ
４２０  コネクタハウジング（ハウジング本体）
４２３  端子収容室  
４３０  リアスペーサ（スペーサ）  
４４０  端子
４４１  端子本体
４４２  弾性バネ片
４４２ａ  接点部
４４５  箱部
４８５  回路基板
４８６  電極
【図１】
2017103160.tif 000003
【図２】
2017103160.tif 000004
【図３】
2017103160.tif 000005
【図４】
2017103160.tif 000006
【図５】
2017103160.tif 000007
【図６】
2017103160.tif 000008
【図７】
2017103160.tif 000009
【図８】
2017103160.tif 000010
【図９】
2017103160.tif 000011
【図１０】
2017103160.tif 000012
【図１１】
2017103160.tif 000013
【図１２】
2017103160.tif 000014
【図１３】
2017103160.tif 000015
【図１４】
2017103160.tif 000016
【図１５】
2017103160.tif 000017
【図１６】
2017103160.tif 000018
【図１７】
2017103160.tif 000019
【図１８】
2017103160.tif 000020
【図１９】
2017103160.tif 000021